(57)【要約】【課題】  メイン基板上に立ち基板を追加する構成の装置であって、部品点数を削減し、組付け作業の効率化を図るとともに、メイン基板に対する立ち基板の取り付け強度を高めて立ち基板を安定的に固定することができる立ち基板の固定構造を提供する。【解決手段】  メイン基板と、メイン基板上に立てた状態でコネクタを介して前記メイン基板の主たる回路構成に接続される追加の回路構成を有した立ち基板から成る電子機器において、前記メイン基板上に一つのコネクタＡとこれと所定距離だけ離して弾性を有する一つのループ状係止用線材を設け、前記立ち基板は一方の側縁下方に前記コネクタＡに対して挿入接続されるコネクタＢを設け、他方の側縁に前記ループ状係止用線材に挿入する係止縁部を形成して、該メイン基板上に立ち基板を立てた状態で前記係止縁部の上縁部が前記ループ状係止用線材に圧接することを特徴とする。【選択図】      図１
2005311224.tif 000002
【特許請求の範囲】
【請求項１】
主たる回路構成を有したメイン基板と、該メイン基板上に立てた状態でコネクタを介して前記主たる回路構成に接続される追加の回路構成を有した立ち基板とから成る複数の回路基板構成を備えた電子機器において、前記メイン基板上に一つのコネクタＡと該コネクタＡの長手方向に所定距離だけ離して弾性を有する一つのループ状係止用線材が取り付けられており、前記立ち基板は一方の側縁下方には前記一つのコネクタＡに対して挿入接続されるコネクタＢを設け、他方の側縁には前記ループ状係止用線材に挿入する係止縁部を形成して、該メイン基板上に立ち基板を立てた状態で前記係止縁部の上縁部が前記ループ状係止用線材に圧接することを特徴とした複数の回路基板構成を備えた電子機器。
【請求項２】
前記ループ状係止用線材は外力が掛からない状態においては所定のループ高さ（Ｈ）をもって所定の形状を保持しており、且つ、該ループ状係止用線材に対して引き上げられる方向の外力が作用した場合にはそのループ高さ（Ｈ）が僅かに変化（Ｈ＋Δｈ）できるように弾性を有しており、係止縁部を所定の高さ（Ｈ）を有して形成したことを特徴とした請求項１記載の複数の回路基板構成を備えた電子機器。
【請求項３】
前記立ち基板の他方の側縁に形成された所定の高さ（Ｈ）を有した係止縁部は、前記立ち基板の側縁部に形成された傾斜縁部であり、該傾斜縁部の中間部付近の高さが所定の高さ（Ｈ）であることを特徴とした請求項２記載の複数の回路基板構成を備えた電子機器。
【請求項４】
前記ループ状係止用線材は、中間部付近に内側に屈曲された変曲部を備えて弾性力を維持するように構成したことを特徴とした請求項１、請求項２又は請求項３記載の複数の回路基板構成を備えた電子機器。
【請求項５】
主たる回路構成を有したメイン基板と、該メイン基板上に立てた状態でコネクタを介して前記主たる回路構成に接続される追加の回路構成を有した立ち基板とから成る複数の回路基板構成を備えた電子機器において、前記メイン基板上に一つのコネクタＡと該コネクタＡの長手方向に所定距離だけ離して一つの係止孔が形成されており、前記立ち基板は一方の側縁下方には前記一つのコネクタＡに対して挿入接続されるコネクタＢを設け、他方の側縁下方には前記一つの係止孔に対して嵌合されるように該立ち基板の下端より側方にＬ字状に延びる係止片を一体的に形成したことを特徴とした複数の回路基板構成を備えた電子機器。
【請求項６】
主たる回路構成を有したメイン基板と、該メイン基板上に立てた状態でコネクタを介して前記主たる回路構成に接続される追加の回路構成を有した立ち基板とから成る複数の回路基板構成を備えた電子機器を製造する方法において、前記メイン基板上に一つのコネクタＡと該コネクタＡの長手方向に所定距離だけ離して一つのループ状係止用線材を取り付けておき、該ループ状係止用線材は外力が掛からない状態においては所定のループ高さ（Ｈ）をもって所定の形状を保持しており、且つ、該ループ状係止用線材に対して引き上げられる方向の外力が作用した場合にはそのループ高さ（Ｈ）が僅かに変化（Ｈ＋Δｈ）できるように弾性を有しており、前記立ち基板は一方の側縁下方には前記一つのコネクタＡに対して挿入接続されるコネクタＢを設け、他方の側縁には所定の高さ（Ｈ）を有した係止縁部を形成しており、前記立ち基板の係止縁部を前記一つのループ状係止用線材のループに係止させ、その後に前記立ち基板の一方の側縁下方に形成されたコネクタＢを前記メイン基板上の前記一つのコネクタＡに対して挿入して回路を接続することを特徴とする複数の回路基板構成を備えた電子機器を製造する方法。
【発明の詳細な説明】
【技術分野】
【０００１】
本発明は、複数の回路基板構成を備えた電子機器及びそれを製造する方法に関し、特に、主たる回路構成を有したメイン基板と、該メイン基板上に立てた状態でコネクタを介して前記主たる回路構成に接続される追加の回路構成を有した立ち基板とから成る複数の回路基板構成を備えた電子機器及びそれを製造する方法に関する。
【背景技術】
【０００２】
従来、主要な回路構成を備えたメイン基板に対して、特定の機能ブロックを構成する追加の回路構成を備えた立ち基板を取り付ける場合の固定構造は、多くの従来技術が知られている。例えば、特許文献１が知られており、これは、メイン基板上における立ち基板が配置される箇所の立ち基板の両縁近傍箇所に、予め一対の略Ｕ字形のワイヤーから成る係止用線材の両端部を半田ディップで取り付け、立ち基板の両縁に引っ掛け溝を形成し、メイン基板上に設けた一対のコネクタに対して立ち基板を立てた状態で、両側の略Ｕ字形の係止用線材の頂部をそれぞれ立ち基板の両縁の引っ掛け溝に引っ掛けて、立ち基板をメイン基板上に取付固定するように構成したものである。
【０００３】
これ以外にも、特許文献２においては、立ち基板２の下辺より上方に切り込み溝２ａを設ける。固定板４に上辺より下方に切り込み溝４ａを設ける。立ち基板２と固定板４の切り込み溝２ａ、４ａどうしを噛合させて立ち基板２と固定板４とを交差状に組み合わせる。立ち基板２に設けた端子５をマザー基板１に半田付けする。また、固定板４を立ち基板２の両側においてマザー基板１上に当接させることにより、立ち基板２をマザー基板１に固定するものが開示されている。
【０００４】
また、特許文献３においては、立ち基板１の下側に傾き防止用の２つの出っ張り部３、４を下向きに突設し、メイン基板５に、立ち基板１の２つの出っ張り部３、４を挿入するための少なくとも２つの角穴６、７を穿設して、これらの角穴６、７に立ち基板１の出っ張り部３、４を挿入して、メイン基板５に立ち基板１を固定するように構成し、メイン基板５に穿設する角穴６、７は、立ち基板１の出っ張り部３、４に対して、その１つの角穴６の縁部６ａを一方側にずらして形成し、他の１つの角穴７の縁部７ａを他方側にずらして形成しているものが開示されている。
【０００５】
また、特許文献４においては、平面視略Ｕ字形の固定ピン１を用いて、立ち基板２をこの立ち基板２に近接して略直角向きに配慮された放熱板３に取り付け固定することによって、メイン基板４上に略垂直向きに立てた状態で取り付け固定するようにし、固定ピン１は一方側の辺１２が他方側の辺１２より若干短い寸法で且つ細く形成され、放熱板３には近接した立ち基板２の両側面に対応する箇所に、固定ピン１の大小の各辺１１、１２を挿入するための大小の貫通孔３１、３２が穿設され、立ち基板２には固定ピン１の大小の各辺１１、１２の各先端に設けられた大小の各爪部１１ａ、１２ａを係入する大小の各係入孔２１、２２が形成されているものが開示されている。
【０００６】
また、特許文献５においては、合成樹脂性のトップケースの天板１の下方に配置された基板２上に立ち基板３を立設してこの立ち基板３を固定するようにした立ち基板の固定構造であって、トップケースの天板１に、この立ち基板３を保持するためのリブ４を設け、更に、このリブ４に形成した凹部５で立ち基板３の上端を挟み込んで立ち基板３を保持固定するようにしたものが開示されている。
【０００７】
また、特許文献６においては、２枚のＬ字型の側板１１と、側板１１を互いに平行に保つ背板１２と、側板１１の下端に形成され主基板１６の挿入穴１７に挿入固定される脚部１３と、側板１１の上部前端に形成された上部腕部材１４と、側板１１の下部前端に形成された下部腕部材１５とを有し、上部腕部材１４に爪１９を形成し、下部腕部材１５の形状を鉤型としたものが開示されている。
【０００８】
また、特許文献７においては、長穴部２が穿設され長穴部２の両側にジャンパー線３、３を取付けたメイン基板１上における穴部の近傍箇所にコネクタ４を介して立設し片側に段部５ａを有する立ち基板５をメイン基板１上に固定する補強板６を有し、補強板６は、立ち基板５に交差する向きで接し下縁にメイン基板１に穿設された長穴部２の両側に取付られた両方のジャンパー線３、３を係入する左右一対の上向き凹部６ａが形成された本体部６ｂと本体部６ｂから立ち基板５の段部５ａ側に向けて延設され立ち基板５の段部５ａを上側から押さえる押さえ片６ｃと本体部６ｂの下部から下向きに延設しメイン基板１の長穴部２に挿入する下向き突片６ｄとを有し本体部６ｂと下向き突片６ｄとの繋ぎ部分が細幅に形成されているものが開示されている。
【０００９】
また、特許文献８においては、メイン基板１に長孔２を形成して、立ち基板４の下部に先細り形状のテーパ面５Ａ、６Ａを有する孔挿入部７を形成しテーパ面５、６の上端に係止溝８、９を形成しメイン基板１の長孔２における立ち基板４のテーパ面５、６の下縁の対応箇所を跨いでメッキ線１１、１２をメイン基板１の表面に取付け、立ち基板４をメイン基板１の長孔２に挿入するときに立ち基板４のテーパ面５、６に沿ってメッキ線１１、１２を外側に広げ、ガイドして係止溝８、９に係入係止し、立ち基板４とメイン基板１の対応する箇所のパターン１０をハンダ付けで立ち基板４をメイン基板１上に立設固定するものが開示されている。
【００１０】
また、特許文献９においては、基板１上における立ち基板２の近傍箇所に立設固定された放熱板３の上部を立ち基板２に向けて略水平向きに折曲して折曲保持片３ａを設け、この折曲保持片３ａに立ち基板２を挟み込んで保持固定するための切欠凹部３ｂを形成したものが開示されている。
【特許文献１】登録実用新案３０８６２０９号公報
【特許文献２】特開２００２−３５３５９０号公報
【特許文献３】特開２００１−３２０１４１号公報
【特許文献４】特開２０００−１９６２６２号公報
【特許文献５】特開２０００−６８６６８号公報
【特許文献６】実開平６−１７２６９号公報
【特許文献７】登録実用新案３０９２６１１号公報
【特許文献８】登録実用新案３０９０８３６号公報
【特許文献９】登録実用新案３０５７６２７号公報
【発明の開示】
【発明が解決しようとする課題】
【００１１】
本発明は、メインの回路基板に対して追加の回路基板を追加する際に、メイン基板に立てて配置する際に簡単に固定できる構造を備えた電子機器を提供するものである。装置の問題対策回路や追加回路などの比較的小さい基板を装置のメイン基板に固定する際に、コネクタ数も最小で簡単に固定できる構造を実現するものである。
【００１２】
しかしながら、これら従来の立ち基板の固定構造によれば、いずれの場合にもアッセンブリ作業の容易性に欠けるところがあった。例えば、特許文献１記載の構造においては、メイン基板上における立ち基板が配置される箇所の立ち基板の両縁近傍箇所に、一対の略Ｕ字形のワイヤーの両端部を取り付ける構成であるので、メイン基板の上面の２箇所にメイン基板とで環状の挿通部を形成する係止用線材が上向きに大きく伸びており、基板の製造時に邪魔になると共に、立ち基板をコネクタに差し込んでから一対の略Ｕ字形のワイヤーを引っ掛ける作業をする必要があり、組付け作業が２つの作業から成り製造工程が増えて組付け作業に時間が掛かるものであった。さらに、立ち基板の両縁に形成した引っ掛け溝をメイン基板上に立ち基板を立てた状態で、一対の略Ｕ字形のワイヤーをそれぞれ立ち基板の両縁の引っ掛け溝に引っ掛けるために、Ｕ字形のワイヤーを無理やりに変形させなければならなかった。
【００１３】
そこで、本発明は、部品点数を削減し、組付け作業の効率化を図るとともに、メイン基板に対する立ち基板の取り付け強度を高めて立ち基板を安定的に固定することができる立ち基板の固定構造を提供することを目的とする。
【課題を解決するための手段】
【００１４】
本発明の請求項１の複数の回路基板構成を備えた電子機器は、主たる回路構成を有したメイン基板と、該メイン基板上に立てた状態でコネクタを介して前記主たる回路構成に接続される追加の回路構成を有した立ち基板とから成る複数の回路基板構成を備えた電子機器において、前記メイン基板上に一つのコネクタＡと該コネクタＡの長手方向に所定距離だけ離して弾性を有する一つのループ状係止用線材が取り付けられており、前記立ち基板は一方の側縁下方には前記一つのコネクタＡに対して挿入接続されるコネクタＢを設け、他方の側縁には前記ループ状係止用線材に挿入する係止縁部を形成して、該メイン基板上に立ち基板を立てた状態で前記係止縁部の上縁部が前記ループ状係止用線材に圧接することを特徴としている。
【００１５】
請求項２の複数の回路基板構成を備えた電子機器は、ループ状係止用線材は外力が掛からない状態においては所定のループ高さ（Ｈ）をもって所定の形状を保持しており、且つ、該ループ状係止用線材に対して引き上げられる方向の外力が作用した場合にはそのループ高さ（Ｈ）が僅かに変化（Ｈ＋Δｈ）できるように弾性を有しており、係止縁部を所定の高さ（Ｈ）を有して形成したことを特徴としている。
【００１６】
請求項３の複数の回路基板構成を備えた電子機器は、前記立ち基板の他方の側縁に形成された所定の高さ（Ｈ）を有した係止縁部は、前記立ち基板の側縁部に形成された傾斜縁部であり、該傾斜縁部の中間部付近の高さが所定の高さ（Ｈ）であることを特徴としている。
【００１７】
本発明の請求項４の複数の回路基板構成を備えた電子機器は、前記ループ状係止用線材の中間部付近に内側に屈曲された変曲部を備えて弾性力を維持するように構成したことを特徴としている。
【００１８】
本発明の請求項５の複数の回路基板構成を備えた電子機器は、主たる回路構成を有したメイン基板と、該メイン基板上に立てた状態でコネクタを介して前記主たる回路構成に接続される追加の回路構成を有した立ち基板とから成る複数の回路基板構成を備えた電子機器において、前記メイン基板上に一つのコネクタＡと該コネクタＡの長手方向に所定距離だけ離して一つの係止孔が形成されており、前記立ち基板は一方の側縁下方には前記一つのコネクタＡに対して挿入接続されるコネクタＢを設け、他方の側縁下方には前記一つの係止孔に対して嵌合されるように該立ち基板の下端より側方にＬ字状に延びる係止片を一体的に形成したことを特徴としている。
【００１９】
本発明の請求項６の複数の回路基板構成を備えた電子機器を製造する方法は、
主たる回路構成を有したメイン基板と、該メイン基板上に立てた状態でコネクタを介して前記主たる回路構成に接続される追加の回路構成を有した立ち基板とから成る複数の回路基板構成を備えた電子機器を製造する方法において、前記メイン基板上に一つのコネクタＡと該コネクタＡの長手方向に所定距離だけ離して一つのループ状係止用線材を取り付けておき、該ループ状係止用線材は外力が掛からない状態においては所定のループ高さ（Ｈ）をもって所定の形状を保持しており、且つ、該ループ状係止用線材に対して引き上げられる方向の外力が作用した場合にはそのループ高さ（Ｈ）が僅かに変化（Ｈ＋Δｈ）できるように弾性を有しており、前記立ち基板は一方の側縁下方には前記一つのコネクタＡに対して挿入接続されるコネクタＢを設け、他方の側縁には所定の高さ（Ｈ）を有した係止縁部を形成しており、前記立ち基板の係止縁部を前記一つのループ状係止用線材のループに係止させ、その後に前記立ち基板の一方の側縁下方に形成されたコネクタＢを前記メイン基板上の前記一つのコネクタＡに対して挿入して回路を接続することを特徴としている。
【発明の効果】
【００２０】
本発明によれば、メイン基板上に一つのコネクタＡと、このコネクタＡの長手方向に所定距離だけ離して一つのループ状係止用線材とを設け、このループ状係止用線材は弾性を有しており、立ち基板の一方の側縁下方には前記一つのコネクタＡに対して挿入接続されるコネクタＢを設け、他方の側縁には所定の高さ（Ｈ）を有した係止縁部を形成し、コネクタＡにコネクタＢを挿入した接続状態で、その係止縁部を前記ループ状係止用線材のループ形状部分に挿入して組み付け作業を完了させる構成としたものであるから、メイン基板上に予め設けられた１つのコネクタと、立ち基板の係止縁部に対する環状の挿通部を形成する１つのループ状係止用線材との構成であるので、装置の製造過程において邪魔にならず、さらに、立ち基板をループ状係止用線材の有する弾性力でメイン基板に対して押圧するので、立ち基板を保持する力を増大できる等の利点を有する。
【００２１】
本発明の請求項２によれば、ループ状係止用線材は外力が掛からない状態においては所定のループ高さ（Ｈ）をもって所定の形状を保持しており、且つ、該ループ状係止用線材に対して引き上げられる方向の外力が作用した場合にはそのループ高さ（Ｈ）が僅かに変化（Ｈ＋Δｈ）できるように弾性を有しており、係止縁部は所定の高さ（Ｈ）を有して形成し、立ち基板をループ状係止用線材の有する弾性力でメイン基板に対して押圧するので、立ち基板を保持する力を増大できる等の利点を有する。
【００２２】
本発明の請求項３によれば、立ち基板の他方の側縁に形成された所定の高さ（Ｈ）を有した係止縁部は、立ち基板の側縁部に形成された傾斜縁部であり、該傾斜縁部の中間部付近の高さが所定の高さ（Ｈ）であるために、更に立ち基板の組み付け作業が容易である。
【００２３】
本発明の請求項４によれば、ループ状係止用線材は、中間部付近に内側に屈曲された変曲部を備えて弾性力を維持するように構成したことにより、更にメイン基板に対する立ち基板を押さえ付ける弾性力を強化することができる。
【００２４】
本発明の請求項５によれば、メイン基板上に一つのコネクタＡと該コネクタＡの長手方向に所定距離だけ離して一つの係止孔が形成されており、立ち基板は一方の側縁下方には前記一つのコネクタＡに対して挿入接続されるコネクタＢを設け、他方の側縁下方には前記一つの係止孔に対して嵌合されるように該立ち基板の下端より側方にＬ字状に延びる係止片を一体的に形成したことにより、メイン基板に対する立ち基板の組み付け作業が容易になる。
【００２５】
本発明の請求項６によれば、立ち基板の係止縁部を一つのループ状係止用線材のループに係止させ、その後に立ち基板の一方の側縁下方に形成されたコネクタＢをメイン基板上の一つのコネクタＡに対して挿入して回路を接続することにより、一つの一連の作業により、メイン基板に対する立ち基板の組み付け作業を達成することができる。
【発明を実施するための最良の形態】
【００２６】
以下、本発明の実施例を、発明を実施するための最良の形態として図面を用いて説明するが、これは本発明の一実施例であり、本発明をその図面記載の構成や実施例として説明する方法のとおりに限定するものではない。
【００２７】
本発明の実施例においては、立ち基板に必要なピン数のコネクタとラジアル部品のジャンパー線を利用し、立ち基板に凸部を設け、該凸部をジャンパー線に掛け、一つのコネクタと一つのジャンパー線で立ち基板を固定する基板構成からなる電子機器に関する。立ち基板の凸部を引っ掛ける部材としては、ラジアル部品のジャンパー線でなく、他の大型部品（抵抗、セラミックコンデンサなど）とメイン基板との間にできた隙間を利用して固定しても良い。
【００２８】
本発明が実際に対応しようとしている立ち基板は、ステレオ音声処理ブロックや、映像処理ブロックなどの大きなブロック基板ではなく、量産が近いが装置の不具合を解消するために必要な回路や、仕様的な追加で回路を追加する場合に、メイン基板で対応するには時間的にも基板スペース的にも困難だが、対応が必要な場合の小さな基板に対応するものである。
【００２９】
本発明は、このような場合の最終検討後の回路追加は、密集したスペースに部品を挿入することになると基板の大幅変更となり、時間が必要となるので、簡単な構造により立ち基板を追加できる構造とした電子機器を提供するものである。かつ、一連の流れに沿った一つの操作の簡単な組み付け操作により、立ち基板を備えた電子機器を製造することができるようにしている。
【００３０】
以下、図面と共に本発明の実施例を詳述すると、１は基板にＩＣチップ、トランジスタ、コンデンサ、抵抗等の回路素子を密集して配置したメイン基板を示し、このメイン基板１の上面にコネクタ２の一方を構成する係止部片としてのコネクタＡ２ａを固設してある。この一方の係止部片としてのコネクタＡ２ａはハンダ付け等によりメイン基板１の回路パターンに電気的に各々接続した垂直状の５本の接続ピン３，３，・・・を一直線状に配設して構成され、さらにメイン基板１の前記係止部片としてのコネクタＡ２ａの長手方向に沿って所定距離だけ離れた位置に、この係止部片としてのコネクタＡ２ａの長手方向の延長線４を介して対向する一対の取付孔５，５が形成してある。
【００３１】
６は、下向きＵ字状を呈しその両側中間部を内側に折曲状に形成して設けた弾性力発生部７，７を配設すると共に、その一対の下向きの脚部６１，６１を前記取付孔５，５に挿通して前記メイン基板１を貫通して下面まで延ばし、ハンダ等によりメイン基板１に固設されるジャンパー線若しくは合成樹脂で構成された線材等の可撓性線材で構成されたループ状係止用線材を示し、このループ状係止用線材６は、前記係止部片としてのコネクタＡ２ａの延長方向を跨ぎ挿通孔１１を構成している。このループ状係止用線材６は、その挿通孔１１の高さがメイン基板１面から高さがＨとなるように構成されている。
【００３２】
９は、装置の問題対策回路や追加回路などを構成する比較的小さい基板にＩＣチップ、トランジスタ、コンデンサ、抵抗等の回路素子（本発明には、どのような回路構成であるかは特に限定されないので図示せず）を配置したほぼ方形状の立ち基板を示し、この立ち基板９の起立した方形状の本体９ａの下縁部に、前記一方の係止部片としてのコネクタＡ２ａに係止する他方の係止部片としてのコネクタＢ２ｂを設けてあり、この他方の係止部片としてのコネクタＢ２ｂは、前記一方の係止部片としてのコネクタＡ２ａに対応して設けた前記本体９ａの下方に開口する嵌合孔１０，１０，・・・内に、本体９ａに形成された追加の回路に電気的に接続された筒状の導電材料から成る接続片が挿入されている。
【００３３】
さらに前記立ち基板９の前記他方の係止部片としてのコネクタＢ２ｂを配置した側縁部と反対側の側縁部に、前記ループ状係止用線材６の挿通孔１１内に上端縁が嵌合される係合突出部１２を一体に設けてあり、この係合突出部１２は、立ち基板９の一側縁部より方形状に延び出しており、その下端縁は本体９ａの下端縁の延長線上にあると共に、その上端縁には外側に向かって僅かに下方に傾斜した係止縁部１３が形成されており、この係止縁部１３の上縁中央部付近の高さは、前記メイン基板１に固設されたループ状係止用線材６の挿通孔１１の高さＨと略同じ高さＨとすることにより、コネクタＡにコネクタＢを挿入した接続状態で、その上縁係止縁部１３がループ状係止用線材６の弾性力によってメイン基板１に対して圧接されるよう構成されている。この実施例の場合、立ち基板９の一側縁部より方形状に延び出した係合突出部１２の下端縁はメイン基板１の基板面に接する状態で設けられているが、本発明として必要な要件は係合突出部１２の上縁係止縁部１３であるので、係合突出部１２の下端縁はメイン基板１の基板面に接する必要はなく、立ち基板９の側縁から半島状に突出した凸状膨出部（特に図示はしない）で良い。
【００３４】
そして、メイン基板１に立ち基板９を組み付ける場合には、図２の想像線で示すように、まず、立ち基板９の係合突出部１２の先端部をメイン基板１に固設されたループ状係止用線材６の挿通孔１１に挿通し、この挿通部を中心に立ち基板９を図２中の矢印の方向に傾動させてコネクタＡ２ａの接続ピン３，３，・・・にコネクタＢ２ｂの嵌合孔１０，１０，・・・を嵌合させ、コネクタ２の一方の係止部片としてのコネクタＡ２ａと他方の係止部片としてのコネクタＢ２ｂとを接続する。このコネクタ２の接続状態で係合突出部１２の係止縁部１３がループ状係止用線材６の挿通孔１１内に納まり、立ち基板９の係合突出部１２がメイン基板１に対して圧接される。
【００３５】
この際、メイン基板１に固接された状態のループ状係止用線材６の挿通孔１１の高さは、外力が作用していない状態では、Ｈであり、一方、立ち基板９の係合突出部１２の係止縁部１３の中間部付近の高さもＨであり、それより先端が低く形成されているので、立ち基板９の係合突出部１２はループ状係止用線材６の挿通孔１１に容易に挿入できる。次いで、図２中の矢印で示している方向に立ち基板９を傾動させることにより、メイン基板１の接続ピン３，３，・・・が立ち基板９の嵌合孔１０，１０，・・・内に挿入される。このとき、立ち基板９の係合突出部１２の係止縁部１３がループ状係止用線材６の挿通孔１１の奥のほうにずれながら挿入されるので、ループ状係止用線材６が少し弾性変形をして高さがＨ＋Δｈとなる。このΔｈの値は特定するものではないが、ループ状係止用線材６の素材や内側に折曲して設けた弾性力発生部７，７の形状等から設計的に定めるものとする。この弾性力により、立ち基板９がメイン基板１に強固に立設されると共に、メイン基板１の回路と立ち基板９の本体９ａ内の回路とが接続ピン３，３，・・・と嵌合孔１０，１０，・・・内の接続片とを介して電気的に接続される。
【００３６】
この圧接状態の強弱は、ループ状係止用線材６をその弾性力発生部７，７の折曲深さを異ならせるか、或いは材質の異なるループ状係止用線材６を選択的に用いるか、或いは立ち基板９の係合突出部１２の係止縁部１３の傾斜の度合いの変更により調節できる。例えば、外力が掛からない状態でのループ状係止用線材６の弾性力発生部７，７の折曲深さを深くすることにより得られる弾性力を大きくし、反対に弾性力発生部７，７の折曲深さを浅くすることにより得られる弾性力を小さくするようにし、また、立ち基板９の係合突出部１２の係止縁部１３の傾斜の度合いを選択することによりメイン基板１に対する立ち基板９の取付け弾性力の強弱を調節できる。
【００３７】
図３は、本発明の別の実施例を示し、立ち基板９には前記ループ状係止用線材６の頂部が係合する係合部としてＵ字状に切り欠かれた係止凹部３１が形成されている。つまり、前記立ち基板９の一方の係止部片としてのコネクタＢ２ｂが設けられた位置と反対側の鉛直方向に伸びる一側縁の中間部に、外側に開口するＵ字状の切欠であって、その下縁部が一側部方向に傾斜した係止縁部３２を形成する係止凹部３１を設け、一方、ループ状係止用線材６は、両側中間部を内側に２段に折曲させて設けた弾性力発生部７１，７１及び７２，７２を配設して成る。このように、係止凹部３１を立ち基板９の側縁に設ける構成としたので、比較的高い位置に係止凹部３１を形成することも容易であり、それにより、より確実に立ち基板９の立設状態を保持することが可能である。また、ループ状係止用線材６には、２段に折曲させて設けた弾性力発生部７１，７１及び７２，７２を配設することにより、高い係止位置にも拘わらずより強固な保持力を維持できるものである。
【００３８】
また、図４は、本発明の別の実施例を示し、立ち基板９には前記コネクタ２の一方の係止部片としてのコネクタＢ２ｂが設けられた位置と反対側で立ち基板９の下端より側方にＬ字状に延びる係止片４１を一体に設けると共に、メイン基板１には他方の係止部片としてのコネクタＡ２ａの長手方向の延長線４２の方向に所定距離だけ離れた位置に、係止片４１が挿入され係合される係止孔４３を設けている。ここにおいて、前記係止片４１の突出小片４５の上縁と立ち基板９の下縁との垂直距離ｎをメイン基板１の厚さｍより僅かに小さく構成することにより、立ち基板９の保持力を確保することができる。
【００３９】
そして、メイン基板１に立ち基板９を取り付ける場合には、まず、係止片４１をその先端より係止孔４３に挿通して係合し、この係合部を中心として立ち基板９を下向きに傾動して、コネクタＡ２ａの接続ピン３，３，・・・にコネクタＢ２ｂの嵌合孔１０，１０，・・・を嵌合してメイン基板１に立ち基板９を取り付ける。この状態で、係止片４１の突出小片４５の上縁部が係止孔４３の外周位置のメイン基板１の裏面に圧接してメイン基板１に立ち基板９を立設する。
【００４０】
また、別の実施例として、この実施例における係止片を別体構成とすることも可能であり、その際は、当該係止片の取り付け構造に応じた係止孔の構造とすることは、当業者が設計的に行うことができるものである。図５は、係止片４１に相当する係止部材５１を別体構成としたものであり、具体的にはコネクタ２の一方の係止部片としてのコネクタＢ２ｂが設けられた位置と反対側で立ち基板９の下端部に、係止孔５４に係合する突出小片５２を設けた係止部材５１をねじ５３を介して固設したものであり、メイン基板１に立ち基板９を取り付ける場合には、図４に示した実施例の場合と同様に、係止部材５１をその先端より係止孔５４に挿通して係合し、この係合部を中心として立ち基板９を下向きに傾動してメイン基板１に立ち基板９を取り付けることができる。
【００４１】
また、上記実施例において、メイン基板１に立ち基板９を取り付ける他の方法としては、先ず、ねじ５３の締定を解除し立ち基板９と係止部材５１とを分離しておき、この分離した係止部材５１を、その突出小片５２を係止孔５４に挿通して係合しメイン基板１に仮置きする。この状態で立ち基板９を垂直に下降し、コネクタＡ２ａの接続ピン３，３，・・・にコネクタＢ２ｂの嵌合孔１０，１０，・・・を嵌合すると共に立ち基板９に、係止部材５１をねじ５３を介して取り付けるものであってもよく、この場合組み立て工数は増えるが、接続ピン３，３，・・・と嵌合孔１０，１０，・・・との嵌合はそれらの軸方向に沿って行われるので接続に不要な力が加わることがない。
【００４２】
本発明においては、コネクタは実施例で示したコネクタ以外に他の構成のコネクタであっても良く、メイン基板１上面に断面上向きコ字状を呈し、その対向する内側面に接続子を配設した構成のコネクタであっても良い。
【００４３】
ループ状係止用線材６をジャンパー線等の金属材で構成した場合、該ループ状係止用線材６を、メイン基板１に固設する工程について説明すると、前記取付孔５，５を介してメイン基板１の裏面まで延びるループ状係止用線材６の脚端部をＩＣチップ、トランジスタ、コンデンサ、抵抗等の回路素子のハンダ付作業と共にメイン基板１の裏面にハンダ付により固設することができる。
【図面の簡単な説明】
【００４４】
【図１】メイン基板と立ち基板とを分離した状態の斜視図である。
【図２】メイン基板と立ち基板とを接続する過程を示した斜視図である。
【図３】メイン基板と別の実施例の立ち基板とを接続する過程を示した斜視図である。
【図４】メイン基板と別の実施例の立ち基板とを接続する過程を示した斜視図である。
【図５】メイン基板と別の実施例の立ち基板とを接続する過程を示した斜視図である。
【符号の説明】
【００４５】
１  メイン基板
２  コネクタ
２ａ  一方の係止部片としてのコネクタＡ
２ｂ  他方の係止部片としてのコネクタＢ
５  取付孔
６  ループ状係止用線材
７，７１，７２  弾性力発生部
９  立ち基板
１２  係合突出部
１３  係止縁部
３１  係止凹部
４１  係止片
５１  係止部材
４３，５４  係止孔
【図１】
2005311224.tif 000003
【図２】
2005311224.tif 000004
【図３】
2005311224.tif 000005
【図４】
2005311224.tif 000006
【図５】
2005311224.tif 000007